(57)【要約】 【課題】洗浄を簡単で確実に実施できる洗面ボウルの洗浄水圧送装置を目的とする。 【解決手段】  洗面ボウル２３の周縁部２３ａに第一の吐出口２７と第二の吐出口２８が設けられる。第一の吐出口２７は洗浄水Ｐを周縁部２３ａに沿って一方の周縁方向と他方の周縁方向に吐出するように２組設けられ、第二の吐出口２８は洗浄水Ｐを洗面ボウル２３の下方に向けて吐出するように第一の吐出口２７の下方近傍に３組設けられる。洗面ボウル２３用の洗浄水Ｐには洗剤を含有する水が用いられる。洗浄水Ｐを圧送するための洗浄水圧送装置３０は、洗浄水タンク３１と、洗浄水タンク３１から配管３２を介してマニホールド２５に洗浄水Ｐを圧送するポンプ３３と、ポンプ制動電源スイッチ３４とから成る。また、洗浄水タンク３１とマニホールド２５間に配管３２を開閉する電磁弁３５を備える。【選択図】  図２
2009079357.tif 000002
【特許請求の範囲】
【請求項１】
洗面化粧台等に備える洗面ボウルの洗浄水圧送装置であって、
前記洗浄水は洗剤を含有する水が用いられこの洗浄水の吐出口が前記洗面ボウルの周縁部に組込まれるマニホールドに設けられ、前記マニホールドは前記洗浄水を前記周縁部に沿って少なくとも一方の周縁方向に吐出する第一の吐出口と前記洗面ボウルの下方に向けて吐出する第二の吐出口とを備え、
前記洗浄水圧送装置は、洗浄水タンクと、洗浄水タンクから配管を介して前記マニホールドに洗浄水を圧送するポンプと、ポンプ制動電源スイッチとから成ることを特徴とする洗面ボウルの洗浄水圧送装置。
【請求項２】
請求項１に記載の洗面ボウルの洗浄水圧送装置であって、前記洗浄水タンクとマニホールド間に配管を開閉する電磁弁を備えることを特徴とする洗面ボウルの洗浄水圧送装置。
【発明の詳細な説明】
【技術分野】
【０００１】
本発明は、洗面化粧台等に備える洗面ボウルの洗浄水圧送装置に関し、詳しくは、洗面ボウルを容易で確実に洗浄できる洗浄水圧送装置に関する。
【背景技術】
【０００２】
従来、洗面化粧台等に備える洗面ボウルの洗浄方法については、特許文献１に記載の内容が知られている。
【０００３】
この特許文献１によれば、図３（ａ）、（ｂ）に示すように、洗面ボウル洗浄装置は、洗面ボウル２に蛇口１と洗面ボウル洗浄用の吐水口３とを有するカラン９を設け、蛇口１と吐水口３とに切替えて給水することができる切替え手段８がカラン９に設けられる。
【０００４】
このカラン９は、蛇口１の下方に、左右両端に開口した吐水口３を有するものであり、吐水口３から吐出された洗浄水は矢印で示したように洗面ボウル２の上端部内周に沿うように左右両側から逆方向に流れ洗面ボウル２を洗浄することができる。また、切替え手段８によって図示しない内蔵された三方弁を使用目的に応じて切替えることができる。
【０００５】
このため、この洗面ボウル洗浄装置においては、カラン９に設けられた吐水口３から洗浄水を吐出することができるので、洗面ボウル洗浄用の洗浄水と手洗い用等の洗浄水とを選択することができるため、配管が複雑になることなく容易に施工することができる。
【特許文献１】特開平５−３３９９６６号公報
【発明の開示】
【発明が解決しようとする課題】
【０００６】
ところが、洗浄水だけでは洗面ボウル２の汚れが確実に洗浄できないという問題があった。さらに、洗面ボウル２に洗剤を掛けたりスポンジに洗剤をふくませて洗面ボウル２を擦って洗う場合に、所定の場所にスポンジと洗剤が用意されていない場合それらを取りに行く手間が不便なため洗浄を省いてしまうことになり洗面ボウル２に汚れが蓄積し易いという問題があった。
【０００７】
そこで、本発明は上記問題を解決して、洗面ボウルの洗浄を簡単で確実に実施できる洗面ボウルの洗浄水圧送装置を目的とする。
【課題を解決するための手段】
【０００８】
請求項１の発明は、洗面化粧台等に備える洗面ボウルの洗浄水圧送装置であって、前記洗浄水は洗剤を含有する水が用いられこの洗浄水の吐出口が前記洗面ボウルの周縁部に組込まれるマニホールドに設けられ、前記マニホールドは前記洗浄水を前記周縁部に沿って少なくとも一方の周縁方向に吐出する第一の吐出口と前記洗面ボウルの下方に向けて吐出する第二の吐出口とを備え、前記洗浄水圧送装置は、洗浄水タンクと、洗浄水タンクから配管を介して前記マニホールドに洗浄水を圧送するポンプと、ポンプ制動電源スイッチとから成ることを特徴としている。
【０００９】
請求項２の発明は、請求項１に記載の洗面ボウルの洗浄水圧送装置であって、前記洗浄水タンクとマニホールド間に配管を開閉する電磁弁を備えることを特徴としている。
【発明の効果】
【００１０】
請求項１の発明によれば、前記洗面ボウルの洗浄水は洗剤を含有する水が用いられるので、水による洗浄に比べて格段に洗浄効果が向上する。さらに、前記洗浄水圧送装置は、洗浄水タンクと、洗浄水タンクから配管を介して前記マニホールドに洗浄水を圧送するポンプと、ポンプ制動電源スイッチとから成るので、ポンプ制動電源スイッチのＯＮ／ＯＦＦによって自動的に洗浄水を圧送することができるので、洗面ボウルの洗浄を簡単で確実に実施することができる。
【００１１】
請求項２の発明によれば、前記洗浄水タンクとマニホールド間に配管を開閉する電磁弁を備えるので、ポンプの停止時に洗浄水がポンプからリークして洗面ボウルに流失することを防ぐことができる。
【発明を実施するための最良の形態】
【００１２】
以下に、本発明の実施形態を図１、図２に基づいて説明する。
＜洗面ボウルの洗浄水圧送装置の構成＞  
【００１３】
図１、図２に示すように、洗面化粧台２１の頂面２２に洗面ボウル２３が備えられ、洗面ボウル２３には図示しない水栓が配置される。本発明の洗面ボウル２３の洗浄水圧送装置は洗面ボウル２３の使用後の洗浄水の圧送装置であり、洗面ボウル２３用の洗浄水Ｐには洗剤を含有する水が用いられる。
【００１４】
洗面ボウル２３の周縁部２３ａには漏斗形状の別体のマニホールド２５が組込まれ、その表面部２５ａは洗面ボウル２３の周縁部２３ａにおけるボウル内面２３ｂと略同じ表面形状で連続するように形成され、その表面部２５ａに第一の吐出口２７と第二の吐出口２８が設けられる。ここで、洗面ボウル２３の底部に排水を下水管に導くための排出口２３ｃが設けられる。
【００１５】
第一の吐出口２７は洗浄水Ｐを周縁部２３ａに沿って一方の周縁方向と他方の周縁方向に吐出するように２組設けられる。第二の吐出口２８は第一の吐出口２７の下方近傍に洗浄水Ｐを洗面ボウル２３の下方に向けて吐出するように３組設けられる。
【００１６】
洗浄水Ｐを圧送するための洗浄水圧送装置３０は、洗浄水タンク３１と、洗浄水タンク３１から配管３２を介してマニホールド２５に洗浄水Ｐを圧送するポンプ３３と、ポンプ制動電源スイッチ３４とから成る。また、洗浄水タンク３１とマニホールド２５間に配管３２を開閉する電磁弁３５を備える。ポンプ３３と電磁弁３５はポンプ制動電源スイッチ３４と電線３６で結線され、図示しない電気制御回路によってポンプ３３と電磁弁３５のＯＮ／ＯＦＦは同期する。
【００１７】
洗浄水タンク３１は直方体形状で頂部３１ａに洗浄水Ｐの充填用の充填筒３１ｂが設けられ充填筒３１ｂにはキャップ３１ｄを備える。底部３１ｃに配管３２が連結される。
【００１８】
洗面化粧台２１の頂面２２の表面にキャップ３１ｄを備えた充填筒３１ｂの上端部とポンプ制動電源スイッチ３４が露出配置されるが、それ以外の洗浄水圧送装置３０は洗面化粧台２１の内部に収納配置される。
【００１９】
洗面ボウル２３は陶器、ホーロー鋼板、樹脂成形品等で形成され、洗浄水タンク３１とマニホールド２５と配管３２の材質は樹脂又はステンレス等の錆びない金属、或いは鋼材にメッキ処理した材料が用いられる。
＜洗面ボウルの洗浄水圧送装置の作用＞
【００２０】
図１に示すように、使用者が洗面ボウル２３を洗浄する際にポンプ制動電源スイッチ３４を操作するとポンプ３３が作動して洗浄水タンク３１の洗浄水Ｐが配管３２によってマニホールド２５に圧送され、二組の第一の吐出口２７から吐出した洗浄水Ｐは周縁部２３ａに沿って一方と他方の周縁方向にそれぞれ吐出されるので、洗浄水Ｐはボウル内面２３ｂ全域を覆うように旋回しながら下降するので、ボウル内面２３ｂを容易且つ確実に洗浄できる。
【００２１】
なお、洗浄水タンク３１とマニホールド２５間には配管３２を開閉する電磁弁３５を備え、電磁弁３５はポンプ制動電源スイッチ３４に連動して開閉するので、洗浄水タンク３１の洗浄水Ｐの水面が第一の吐出口２７又は第二の吐出口２８より高い場合、ポンプ３３の停止時に洗浄水Ｐがポンプ３３からリークして洗面ボウル２３側に漏れることを防ぐことができる。
【００２２】
ポンプの停止は設定時間後に自動停止する回路を組んでも良いし、ポンプ制動電源スイッチに連動してＯＮ／ＯＦＦ作動させても良い。
【００２３】
洗面ボウルの洗浄水には洗剤を含有する水が用いられるので確実且つ格段に洗浄効果が向上しスポンジ不使用で自動洗浄ができる。なお、必要により、洗浄後に洗面ボウルに覆われる洗浄水の残り膜を水栓からの水で洗い流してもよい。
【００２４】
以上、本発明の実施例を図面に基づいて説明したが、具体的な構成はこの実施例に限られるものではなく本発明の要旨を逸脱しない範囲の設計変更等があっても本発明に含まれる。
【００２５】
たとえば、仮にポンプ３３の停止時に洗浄水Ｐがポンプ３３からリークして洗面ボウル２３側に漏れたとしてもその量は僅かなので、電磁弁３５は必ずしも備えなくても構わない。
【００２６】
第一の吐出口は洗浄水を周縁部に沿って一方の周縁方向のみに吐出するために１組だけ設けても構わない。
【００２７】
洗面ボウル２３の周縁部２３ａに別体のマニホールド２５を組込む代わりに、ボウル内面２３ｂに直接第一の吐出口２７と第二の吐出口２８を設けてもよい。
【００２８】
洗面ボウルの周縁部の対向する位置に二組のマニホールドを設けて洗浄水タンクから各マニホールドまで別々の配管で導くと、一組のマニホールドから吐出する洗浄水はボウル内面の半周領域をカバーすればよいので洗浄水はさらに確実にボウル内面を覆うことができるので洗浄効果が向上する。  
【図面の簡単な説明】
【００２９】
【図１】本発明の実施形態における、洗面ボウル２３に組込まれたマニホールド２５に設けられた第一の吐出口２７と第二の吐出口２８から洗浄水Ｐを吐出して洗面ボウル２３を洗浄する状態を示す斜視図である。
【図２】本発明の実施形態における、洗浄水圧送装置３０の構成図である。
【図３】従来例における、（ａ）はカラン９に設けられた吐水口３から洗面ボウル２に水を吐出する状態、（ｂ）はカラン９に蛇口１と吐水口３とに切替えて給水することができる切替え手段８が設けられた状態を示す斜視図である。
【符号の説明】
【００３０】
２３  洗面ボウル
２３ａ  周縁部
２５  マニホールド
２７  第一の吐出口
２８  第二の吐出口
３０  洗浄水圧送装置
３１  洗浄水タンク
３２  配管
３３  ポンプ
３４  ポンプ制動電源スイッチ
３５  電磁弁
Ｐ  洗浄水
【図１】
2009079357.tif 000003
【図２】
2009079357.tif 000004
【図３】
2009079357.tif 000005